(57)【要約】【課題】大サイズの複写済み用紙の座屈と落下の両方を防止し、短い排紙トレイ上に排紙された長い複写済み用紙を、この短い排紙トレイから落下することなく積載する画像形成装置を提供する。【解決手段】広幅又は長尺の複写済み用紙１２を正面手前の胴内排紙トレイ２に排出する大型の画像形成装置において、排紙された複写済み用紙１２を積載する胴内排紙部１を有し、前記胴内排紙部１には、排紙方向と直交する方向に円弧形状に湾曲した補助トレイ１１を有する。【選択図】図１
2007246217.tif 000002
【特許請求の範囲】
【請求項１】
複写済み用紙を装置本体の正面に設けた胴内排紙トレイに排出する画像形成装置において、前記胴内排紙トレイに対して、排紙方向と直交する方向に円弧形状に湾曲した補助トレイを連設したことを特徴とする画像形成装置。
【請求項２】
前記補助トレイは、前記胴内排紙トレイ上に沿って排紙されてくる前記複写済み用紙を徐々に下向き凹状に湾曲させる湾曲形状を有していることを特徴とする画像形成装置。
【請求項３】
前記補助トレイの横幅は、前記複写済み用紙の横幅よりも大きいことを特徴とする画像形成装置。
【請求項４】
前記補助トレイは、排紙方向と直交する方向の中央に切り欠き部分を有することを特徴とする請求項１乃至３のいずれか１項記載の画像形成装置。
【請求項５】
スキャナ部と画像形成部と排紙部とを有し、原稿を装置前面から挿入して前記スキャナ部で読み取り、装置前面側の前記排紙部へ排紙することを特徴とする請求項１乃至４のいずれか１項記載の画像形成装置。
【発明の詳細な説明】
【技術分野】
【０００１】
本発明は、大サイズの複写済み用紙をスットックする排紙トレイを有するプリンタ、ファクシミリ、ＰＰＣ、複合機等の画像形成装置に関するものである。
【背景技術】
【０００２】
Ａ１サイズ等の大サイズ用紙を用いた複写が可能な画像形成装置（広幅機）は従来から知られている。図６は従来の大サイズ複写が可能な画像形成装置を示す概略外観図である。図７は図６の右側から見た画像形成装置の内部構成を示す概略図である。図８は補助トレイを取り付けた従来の大サイズの複写が可能な画像形成装置を示す概略外観図である。
従来、Ａ１サイズ等の大サイズの複写が可能な画像形成装置（広幅機）では、複写済み用紙は排紙トレイ２に排紙される。この画像形成装置はスキャナ部Ａ、作像部Ｂ、給紙部Ｃで構成され、機械正面に排紙される胴内排紙部１を有している。
排紙トレイ２上に排紙される複写済み用紙８はＡ１横サイズが最大であり、Ａ１縦サイズは後に排紙している。しかし、プリンタ機能を使用したり、誤った操作により、Ａ１縦サイズ以上の用紙を排紙トレイ２に排紙する場合がある。
【０００３】
また、複写済み用紙の回転機能を有する機械では、Ａ１横サイズ用紙がなくなった時点で、Ａ１縦サイズの用紙に切り換わり、排紙トレイ２に排紙する場合がある。このような場合、複写済み用紙８のストックスペースからはみ出した複写済み用紙８の先端８−１が垂れ下がり、複写済み用紙８が落下してしまうということがあった。
さらに、図８に示すように、補助トレイ９を取り付けたとしても、大きく突き出したものは作業性の低下を招き、具体的には、広幅機で原稿を読み取る場合には装置前面に立って正確に手差しを行わなければならないため小サイズのものに限られ、有効な機能を果たすことができなかった。
【０００４】
かかる不都合を解決するべく、排紙スペースから出る用紙を揃えるために、また、排紙後の用紙を排紙口方向へ戻して揃えるために、従来から幾つかの技術が提案されている（例えば、特許文献１及び２参照）。
特許文献１では、排紙スペースから出る用紙を揃えるために、トレイの中間部から、端を高く設けた補助受け皿部材を備える技術を開示している。また、特許文献２では、排紙トレイの湾曲を防ぎ、排紙後の用紙を排紙口方向へ戻して揃えることを目的として、角部が最上位になるように折曲部を設ける技術を開示している。
【特許文献１】特開２０００−３５１５１６公報
【特許文献２】特開平１１−１５７７２７号公報
【発明の開示】
【発明が解決しようとする課題】
【０００５】
しかしながら、かかる従来技術では、排紙される複写済み用紙の落下は防止できても、大きいサイズの複写済み用紙の座屈は防止することができないという問題があった。
そこで、本発明の目的は、大サイズの複写済み用紙の座屈と落下の両方を防止し、短い排紙トレイ上に排紙された長い複写済み用紙を、この短い排紙トレイから落下することなく積載する画像形成装置を提供することにある。
【課題を解決するための手段】
【０００６】
上記の課題を解決するために、請求項１に記載の発明は、複写済み用紙を装置本体の正面に設けた胴内排紙トレイに排出する画像形成装置において、前記胴内排紙トレイに対して、排紙方向と直交する方向に円弧形状に湾曲した補助トレイを連設したことを特徴とする。
請求項２に記載の発明は、前記補助トレイは、前記胴内排紙トレイ上に沿って排紙されてくる前記複写済み用紙を徐々に下向き凹状に湾曲させる湾曲形状を有していることを特徴とする。
請求項３に記載の発明は、前記補助トレイの横幅が、前記複写済み用紙の横幅よりも大きいことを特徴とする画像形成装置を特徴とする。
請求項４に記載の発明は、前記補助トレイが、排紙方向と直交する方向の中央に切り欠き部分を有する請求項１乃至３のいずれか１項記載の画像形成装置を特徴とする。
請求項５に記載の発明は、スキャナ部と画像形成部と排紙部とを有し、原稿を装置前面から挿入して前記スキャナ部で読み取り、装置前面側の前記排紙部へ排紙される請求項１乃至４のいずれか１項記載の画像形成装置を特徴とする。
【発明の効果】
【０００７】
本発明によれば、ストックする複写済み用紙を排紙方向と直交する方向に変形させることで、用紙の腰が強くなり座屈しないため、排紙された複写済み用紙が胴内排紙スペースから飛び出しても、支持部材なしにストックすることができる。そのため、大きな排紙トレイを装備する必要がなく、省スペース化することができる。
【発明を実施するための最良の形態】
【０００８】
以下、図面を参照して本発明の実施の形態を詳細に説明する。図１は本発明による大サイズの複写が可能な画像形成装置の第１の実施の形態を示す概略外観図である。図２は図１の右側から見た画像形成装置の内部構成を示す概略図である。
図１及び図２において、符号Ａはスキャナ部、Ｂは画像形成部、Ｃは排紙部を示している。
本発明では、排紙トレイ（胴内排紙トレイ）２を含む胴内排紙部１の下流側に、複写済み用紙１２を案内（ガイド）する補助トレイ１１を設けている。この補助トレイ１１は排紙トレイ２との繋ぎ部からなだらかに湾曲したライン１３に変化する形状となっている。この湾曲ライン１３は左右対称となるように中央部が凹状になっている。
即ち、本発明は、複写済み用紙を装置本体の正面に設けた胴内排紙トレイ２に排出する画像形成装置において、胴内排紙トレイ２に対して、排紙方向と直交する方向に円弧形状に湾曲した補助トレイ１１を連設した構成が特徴的である。
排紙トレイ２より案内されて排紙されてきた大サイズの複写済み用紙１２は補助トレイ１１に案内されながら、先端から徐々に湾曲していき（符号１４）、複写済み用紙１２は用紙のコシによって支持部材なしで座屈することなく、落下を防止することができる。
【０００９】
また、排紙口１０から排出直後の複写済み用紙１２は、平坦な排紙トレイ２上に送られるため、正常な排紙動作を維持することができる。
このようにストックする複写済み用紙１２を排紙方向と直交する方向に変形（幅方向中央部が下向きに凹状となるように湾曲）させることで、排紙された複写済み用紙１２が排紙トレイ２の胴内排紙スペースから飛び出しても、支持部材なしにストックすることができる。
そのため、大きな排紙トレイを装備する必要がなく、省スペースで機械設置できる。また、伸縮式の排紙トレイを設ける必要もないため、用紙サイズに合わせて排紙トレイを操作する必要もない。
【００１０】
ストックする複写済み用紙１２は、排紙方向と直交する方向に下向きに凹形状に湾曲させるガイド手段（補助トレイ）１１により、複写済み用紙１２の自重でガイド手段１１に沿って変形することができるので、構造が容易である。また、同一のＲで各種用紙幅に対応できるので、紙幅に合わせた調整機構などを設ける必要がない。
さらに、排紙直後の複写済み用紙１２を平坦面２で受け、排紙機構に対し用紙先端を平行に送ることができるので、用紙の歪みや、ズレによる不具合の発生を防ぐことができる。
【００１１】
図３は本発明による大サイズの複写が可能な画像形成装置の第２の実施の形態を示す概略外観図である。図４は図３の右側から見た画像形成装置の内部構成を示す概略図である。図４において、符号Ａはスキャナ部、Ｂは画像形成部、Ｃは排紙部を示している。
この画像形成装置の排紙トレイ２及び補助トレイ１１のセンターラインＤ上に、後述する方法で適所に取り付けられた複写済み用紙１２の浮きを押さえる押さえ部材１５又は１６を垂らしている。
押さえ部材１５又は１６は排出された複写済み用紙１２の浮きを防止して、補助トレイ１１の湾曲に倣って確実に湾曲１４させるようなガイドを行なう作用を有している。
押さえ部材を形成する図３のマイラシート１５は、例えば、胴内排紙部１の天井に上側を接着固定されている。また、押さえ部材を形成する図４の棒材１６は、胴内排紙部１の天井に配置されたヒンジピン１７を支点としてＥ方向（排紙方向に沿った方向）に回動するようになっている。
補助トレイ１１の横幅を複写済み用紙の横幅よりも大きくすることにより、複写済み用紙の座屈や落下を防止できる。湾曲させるガイド手段に沿うように押さえ部材１５，１６により複写済み用紙中央部を押さえることで、複写済み用紙を浮くことなく確実に湾曲させて、安定したストック性能を確保することができる。
【００１２】
図５は本発明による大サイズの複写が可能な画像形成装置の第３の実施の形態を示す概略外観図である。この実施の形態において、補助トレイ１１は左右方向に対して、すなわち、排紙方向と直交する方向の中央に切り欠き部分１８を設けている。
正面から操作する構造の大サイズコピーを行う画像形成装置は、正面のオペレータ立ち位置に突き出したガイド手段１１の中央を凹形状に切り取ることで、補助トレイ１１の突き出し量が少なく、オペレータが機械近くに立つことができ、作業が容易となる。
また、複写紙の手差し機構がガイド手段の下に隠れる場合も、手差しテーブル６上の手差し用の複写紙の視認性を良くすることができる。さらに、複写装置前面でスキャン作業をする場合にも、原稿の挿入時に排紙トレイ（補助トレイ）が邪魔にならず、かつ複写済み用紙が垂れ下がらない効果を得られる。よって省スペース化が達成できる。
【図面の簡単な説明】
【００１３】
【図１】本発明による大サイズの複写が可能な画像形成装置の第１の実施の形態を示す概略外観図である。
【図２】図１の右側から見た画像形成装置の内部構成を示す概略図である。
【図３】本発明による大サイズの複写が可能な画像形成装置の第２の実施の形態を示す概略外観図である。
【図４】図３の右側から見た画像形成装置の内部構成を示す概略図である。
【図５】本発明による大サイズの複写が可能な画像形成装置の第３の実施の形態を示す概略外観図である。
【図６】従来の大サイズの複写が可能な画像形成装置を示す概略外観図である。
【図７】図６の右側から見た画像形成装置の内部構成を示す概略図である。
【図８】補助トレイを取り付けた従来の大サイズの複写が可能な画像形成装置を示す概略外観図である。
【符号の説明】
【００１４】
Ａ  スキャナ部、Ｂ  画像形成部、Ｃ  排紙部、１  胴内排紙部、２  排紙トレイ、１０  排紙口、１１  補助トレイ（ガイド手段）、１２  複写済み用紙、１３  補助トレイの湾曲、１４  複写済み用紙の湾曲、１５  押さえ部材（マイラシート）、１６  押さえ部材（棒体）、１７  支点（ヒンジピン）、１８  切り欠き部分
【図１】
2007246217.tif 000003
【図２】
2007246217.tif 000004
【図３】
2007246217.tif 000005
【図４】
2007246217.tif 000006
【図５】
2007246217.tif 000007
【図６】
2007246217.tif 000008
【図７】
2007246217.tif 000009
【図８】
2007246217.tif 000010